(57)【要約】      （修正有）【課題】複数の購入者カードの発行を禁止し、かつ禁制品の販売を規制できる。【解決手段】端末側属性情報読取部で読み取ったＩＤカードの属性情報から購入者カード発行可否判断部により予め登録された発行可能条件に合致していると判断した場合のみカードを発行する購入者カード発行端末と、前記ＩＤカードまたは前記購入者カードから属性情報を読み取る販売機側属性情報読取部と、前記販売機側属性情報読取部で読み取られた属性情報から商品販売の可否を判断する販売可否判断部とを有する自動販売機と、サーバ側情報送受信部と、前記購入者カード発行端末から送信された購入者カード発行に関する情報及び前記自動販売機へ送信される販売不可に関する情報を登録する情報登録部と、前記購入者カード発行に関する情報が前記情報登録部に既に存在するか否かを判断する情報有無判断部とを有する購入者カード情報登録サーバとからなり、商品の販売を制限する。【選択図】図７
2005216192.tif 000002
【特許請求の範囲】
【請求項１】
情報を送受信する端末側情報送受信部と、少なくとも、ＩＣチップを有するＩＤカードから属性情報を読み取る端末側属性情報読取部と、購入者カード発行の可否を判断する購入者カード発行可否判断部とを有し、前記端末側属性情報読取部で読み取った前記ＩＤカードの属性情報から前記購入者カード発行可否判断部により予め登録された購入者カード発行可能条件に合致していると判断した場合のみ購入者カードを発行する購入者カード発行端末と、
情報を送受信するサーバ側情報送受信部と、前記購入者カード発行端末から送信された購入者カード発行に関する情報を登録する情報登録部と、前記購入者カード発行に関する情報が前記情報登録部に既に存在するか否かを判断する情報有無判断部とを有する購入者カード情報登録サーバとからなり、
商品の販売を制限する自動販売機での購入が制限されない者にのみ購入者カードを発行する購入者カード発行システムであり、
前記購入者カード発行端末から前記購入者カード情報登録サーバに送られた情報に基づき、前記購入者カード発行に関する情報が既に前記情報登録部に存在すると前記情報有無判断部が判断した場合、
前記購入者カード情報登録サーバが前記購入者カード発行端末に発行禁止情報を送信し、
前記購入者カード発行端末は前記購入者カードを発行しないことを特徴とする購入者カード発行システム。
【請求項２】
前記購入者カード発行端末は、前記購入者カード情報登録サーバからの発行禁止情報を受け取った場合、
購入者カードを発行しないことを購入者カード発行申請者に知らせる操作表示部を有することを特徴とする請求項１に記載の購入者カード発行システム。
【請求項３】
前記購入者カード発行端末は、前記商品の販売を制限する自動販売機に備えられることを特徴とする請求項１または請求項２に記載の購入者カード発行システム。
【請求項４】
前記属性情報は、少なくとも生年月日情報、性別情報、住所情報、国籍情報のいずれかを含むことを特徴とする請求項１乃至請求項３のいずれか１項に記載の購入者カード発行システム。
【請求項５】
前記ＩＤカードは、少なくとも運転免許証、健康保険証、パスポート、社員証、学生証を含むことを特徴とする請求項１乃至請求項４のいずれか１項に記載の購入者カード発行システム。
【請求項６】
情報を送受信する端末側情報送受信部と、少なくとも、ＩＣチップを有するＩＤカードから属性情報を読み取る端末側属性情報読取部と、購入者カード発行の可否を判断する購入者カード発行可否判断部とを有し、前記端末側属性情報読取部で読み取った前記ＩＤカードの属性情報から前記購入者カード発行可否判断部により予め登録された購入者カード発行可能条件に合致していると判断した場合のみ購入者カードを発行する購入者カード発行端末と、
情報を送受信する販売機側情報送受信部と、前記ＩＤカードまたは前記購入者カードから属性情報を読み取る販売機側属性情報読取部と、前記販売機側属性情報読取部で読み取られた属性情報から商品販売の可否を判断する販売可否判断部とを有する自動販売機と、
情報を送受信するサーバ側情報送受信部と、前記購入者カード発行端末から送信された購入者カード発行に関する情報及び前記自動販売機へ送信される販売不可に関する情報を登録する情報登録部と、前記購入者カード発行に関する情報が前記情報登録部に既に存在するか否かを判断する情報有無判断部とを有する購入者カード情報登録サーバとからなり、
商品の販売を制限することを特徴とする商品自動販売システム。
【請求項７】
前記自動販売機は、前記販売機側属性情報読取部で読み取られた属性情報から前記販売可否判断部に予め登録された販売可能条件に合致していると判断した場合のみ販売を許可することを特徴とする請求項６に記載の商品自動販売システム。
【請求項８】
前記購入者カード発行端末から前記購入者カード情報登録サーバに送られた情報に基づき、前記購入者カード発行に関する情報が既に前記情報登録部に存在すると前記情報有無判断部が判断した場合、
前記購入者カード情報登録サーバが前記購入者カード発行端末に発行禁止情報を送信し、
前記購入者カード発行端末は前記購入者カードを発行しないことを特徴とする請求項６または請求項７に記載の商品自動販売システム。
【請求項９】
前記購入者カードには、予め固有の番号が書き換え不可能な状態で保存されるとともに、
前記自動販売機は前記購入者カードの固有番号を読み取る情報読取部を有し、  前記購入者カード情報登録サーバの前記情報有無判断部で前記購入者カード発行端末から送信された情報に基づく前記購入者カードが発行済みと判断された場合、
以前に発行された購入者カードの固有番号を販売不可番号として前記自動販売機に送信し、
前記自動販売機が前記販売不可番号を保存し、
前記情報読取部で読み取られた固有番号が前記販売不可番号と一致した場合は商品の販売を行わないことを特徴とする請求項６乃至請求項８のいずれか１項に記載の商品販売システム。
【請求項１０】
前記自動販売機は、商品販売時に前記購入者カードを挿入するカード挿入部を有するとともに、
前記自動販売機での商品販売の際に、前記購入者カードの固有番号と前記販売不可番号とが一致した場合、カード挿入部に挿入された前記購入者カードを排出しないことを特徴とする請求項８に記載の商品販売システム。
【請求項１１】
前記購入者カードには、生年月日情報の他に少なくとも顔画像情報が書き込まれることを特徴とする請求項６乃至請求項１０のいずれか１項に記載の商品自動販売システム。
【請求項１２】
前記自動販売機は、前記ＩＤカードまたは前記購入者カードから記録された生体情報を読み取る記録生体情報読取部と、購入者の生体情報を採取する生体情報採取部と、前記記録生体情報読取部で読み取った記録生体情報と前記生体情報採取部で採取した採取生体情報を比較し前記ＩＤカードまたは前記購入者カードの持ち主と購入者が同一人物であることを確認する本人確認部を有し、
前記ＩＤカードまたは前記購入者カードの持ち主と購入者が同一人物とであることを本人確認部が判断し、かつ前記属性情報読取部で読み取った前記ＩＤカードまたは前記購入者カードの属性情報から前記販売可否判断部に予め登録された販売可能条件に合致していると判断した場合のみ販売を許可することを特徴とする請求項４乃至請求項９のいずれか１項に記載の商品自動販売システム。
【請求項１３】
前記属性情報は、少なくとも生年月日情報、性別情報、住所情報、国籍情報のいずれかを含むことを特徴とする請求項６乃至請求項１２のいずれか１項に記載の商品自動販売システム。
【請求項１４】
前記ＩＤカードは、少なくとも運転免許証、健康保険証、パスポート、社員証、学生証を含むことを特徴とする請求項６乃至請求項１３のいずれか１項に記載の商品自動販売システム。
【発明の詳細な説明】
【技術分野】
【０００１】
この発明は、例えばＩＤカード化した運転免許証から購入者カードを発行し、購入者カードを利用して商品を購入する購入者カード発行システム及び商品自動販売システムに関するものである。
【背景技術】
【０００２】
自動販売機の普及は目覚ましく種々の商品が自動販売機により販売されているが、その中でも、たばこの自動販売機やアルコール飲料の自動販売機は、最も広く利用されているものの１つである。ところで、このようなたばこやアルコール飲料は、未成年者が喫煙したり飲食するのが禁じられている物品であり、当然未成年者への販売も行なわないことが望ましい。
【０００３】
そのために、近年では、成人にのみ暗証番号付の磁気カードを発行し、磁気カードを自動販売機に挿入すると共に、自動販売機に暗証番号を入力し、磁気カードの暗証番号と入力した暗証番号とが一致した場合のみ、販売可のランプを点灯するようにしたものがある（例えば特許文献１）。
【特許文献１】特開２０００−３３９５２７号公報
【発明の開示】
【発明が解決しようとする課題】
【０００４】
ところで、成人にのみ暗証番号付の磁気カードを発行する構成では、目で成人であることを確認した後、カード固有データが記録されている購入者カードを発行するため、成人と見誤って未成年者に購入者カードを発行してしまうという問題点があった。
【０００５】
また、購入者カードは、発行する際にカードの所有者を明らかにし、カードを他人に譲渡しにくくするため、カード表面の所定欄に、ユーザの氏名、住所及び電話番号をペン等で記入しているが、購入者カードは容易に偽造や変造を行なうことができる等の問題がある。
【０００６】
また、同一人が何枚も購入者カードを得ることができるために、例えば未成年者に購入者カードを譲渡することが行なわれ、喫煙したり飲食するのが禁じられている物品を自由に購入することができるという問題点があった。
【０００７】
この発明は、かかる観点からなされたもので、簡単かつ確実に本人確認を行い、複数の購入者カードの発行を禁止し、かつ禁制品の販売を規制できる購入者カード発行システム及び商品自動販売システムを提供することを目的としている。
【課題を解決するための手段】
【０００８】
前記課題を解決し、かつ目的を達成するために、この発明は、以下のように構成した。
【０００９】
請求項１に記載の発明は、情報を送受信する端末側情報送受信部と、少なくとも、ＩＣチップを有するＩＤカードから属性情報を読み取る属性情報読取部と、購入者カード発行の可否を判断する購入者カード発行可否判断部とを有し、前記属性情報読取部で読み取った前記ＩＤカードの属性情報から前記購入者カード発行可否判断部により予め登録された購入者カード発行可能条件に合致していると判断した場合のみ購入者カードを発行する購入者カード発行端末と、
情報を送受信するサーバ側情報送受信部と、前記購入者カード発行端末から送信された購入者カード発行に関する情報を登録する情報登録部と、前記購入者カード発行に関する情報が前記情報登録部に既に存在するか否かを判断する情報有無判断部とを有する購入者カード情報登録サーバとからなり、
商品の販売を制限する自動販売機での購入が制限されない者にのみ購入者カードを発行する購入者カード発行システムであり、
前記購入者カード発行端末から前記購入者カード情報登録サーバに送られた情報に基づき、前記購入者カード発行に関する情報が既に前記情報登録部に存在すると前記情報有無判断部が判断した場合、
前記購入者カード情報登録サーバが前記購入者カード発行端末に発行禁止情報を送信し、
前記購入者カード発行端末は前記購入者カードを発行しないことを特徴とする。
【００１０】
請求項２に記載の発明は、前記購入者カード発行端末は、前記購入者カード情報登録サーバからの発行禁止情報を受け取った場合、
購入者カードを発行しないことを購入者カード発行申請者に知らせる操作表示部を有することを特徴とする。
【００１１】
請求項３に記載の発明は、前記購入者カード発行端末は、前記商品の販売を制限する自動販売機に備えられることを特徴とする。
【００１２】
請求項４に記載の発明は、前記属性情報は、少なくとも生年月日情報、性別情報、住所情報、国籍情報のいずれかを含むことを特徴とする。
【００１３】
請求項５に記載の発明は、前記ＩＤカードは、少なくとも運転免許証、健康保険証、パスポート、社員証、学生証を含むことを特徴とする。
【００１４】
請求項６に記載の発明は、情報を送受信する端末側情報送受信部と、少なくとも、ＩＣチップを有するＩＤカードから属性情報を読み取る端末側属性情報読取部と、購入者カード発行の可否を判断する購入者カード発行可否判断部とを有し、前記端末側属性情報読取部で読み取った前記ＩＤカードの属性情報から前記購入者カード発行可否判断部により予め登録された購入者カード発行可能条件に合致していると判断した場合のみ購入者カードを発行する購入者カード発行端末と、
情報を送受信する販売機側情報送受信部と、前記ＩＤカードまたは前記購入者カードから属性情報を読み取る販売機側属性情報読取部と、前記販売機側属性情報読取部で読み取られた属性情報から商品販売の可否を判断する販売可否判断部とを有する自動販売機と、
情報を送受信するサーバ側情報送受信部と、前記購入者カード発行端末から送信された購入者カード発行に関する情報及び前記自動販売機へ送信される販売不可に関する情報を登録する情報登録部と、前記購入者カード発行に関する情報が前記情報登録部に既に存在するか否かを判断する情報有無判断部とを有する購入者カード情報登録サーバとからなり、商品の販売を制限することを特徴とする。
【００１５】
請求項７に記載の発明は、前記自動販売機は、前記販売機側属性情報読取部で読み取られた属性情報から、購入者の年齢が前記販売可否判断部に予め登録された販売可能年齢に合致していると判断した場合のみ販売を許可することを特徴とする。
【００１６】
請求項８に記載の発明は、前記購入者カード発行端末から前記購入者カード情報登録サーバに送られた情報に基づき、前記購入者カード発行に関する情報が既に前記情報登録部に存在すると前記情報有無判断部が判断した場合、
前記購入者カード情報登録サーバが前記購入者カード発行端末に発行禁止情報を送信し、
前記購入者カード発行端末は前記購入者カードを発行しないことを特徴とする。
【００１７】
請求項９に記載の発明は、前記購入者カードには、予め固有の番号が書き換え不可能な状態で保存されるとともに、
前記自動販売機は前記購入者カードの固有番号を読み取る情報読取部を有し、  前記購入者カード情報登録サーバの前記情報有無判断部で前記購入者カード発行端末から送信された情報に基づく前記購入者カードが発行済みと判断された場合、
以前に発行された購入者カードの固有番号を販売不可番号として前記自動販売機に送信し、
前記自動販売機が前記販売不可番号を保存し、
前記情報読取部で読み取られた固有番号が前記販売不可番号と一致した場合は商品の販売を行わないことを特徴とする。
【００１８】
請求項１０に記載の発明は、前記自動販売機は、商品販売時に前記購入者カードを挿入するカード挿入部を有するとともに、
前記自動販売機での商品販売の際に、前記購入者カードの固有番号と前記販売不可番号とが一致した場合、カード挿入部に挿入された前記購入者カードを排出しないことを特徴とする。
【００１９】
請求項１１に記載の発明は、前記購入者カードには、生年月日情報の他に少なくとも顔画像情報が書き込まれることを特徴とする。
【００２０】
請求項１２に記載の発明は、前記自動販売機は、前記ＩＤカードまたは前記購入者カードから記録された生体情報を読み取る記録生体情報読取部と、購入者の生体情報を採取する生体情報採取部と、前記記録生体情報読取部で読み取った記録生体情報と前記生体情報採取部で採取した採取生体情報を比較し前記ＩＤカードまたは前記購入者カードの持ち主と購入者が同一人物であることを確認する本人確認部を有し、
前記ＩＤカードまたは前記購入者カードの持ち主と購入者が同一人物とであることを本人確認部が判断し、かつ前記属性情報読取部で読み取った前記ＩＤカードまたは前記購入者カードの属性情報から前記販売可否判断部に予め登録された販売可能条件に合致していると判断した場合のみ販売を許可することを特徴とする。
【００２１】
請求項１３に記載の発明は、前記属性情報は、少なくとも生年月日情報、性別情報、住所情報、国籍情報のいずれかを含むことを特徴とする。
【００２２】
請求項１４に記載の発明は、前記ＩＤカードは、少なくとも運転免許証、健康保険証、パスポート、社員証、学生証を含むことを特徴とする。
【発明の効果】
【００２３】
前記構成により、この発明は、以下のような効果を有する。
【００２４】
請求項１に記載の発明では、購入者カード発行端末の属性情報読取部で読み取ったＩＤカードの属性情報から購入者カード発行可否判断部により予め登録された購入者カード発行可能条件に合致していると判断した場合のみ購入者カードを発行し、例えばＩＤカード化した運転免許証により簡単かつ確実に本人確認を行い、容易に偽造や変造を行なうことができない購入者カードを発行可能である。  また、購入者カード発行端末から購入者カード情報登録サーバに送られた情報に基づき、購入者カード発行に関する情報が既に情報登録部に存在すると情報有無判断部が判断した場合、購入者カード情報登録サーバが購入者カード発行端末に発行禁止情報を送信し、購入者カード発行端末が購入者カードを発行しないことで、同一人に複数の購入者カードの発行を禁止することができる。
【００２５】
請求項２に記載の発明では、購入者カード発行端末は、購入者カード情報登録サーバからの発行禁止情報を受け取った場合、購入者カードを発行しないことを表示し、購入者カード発行申請者に容易に知らせることができる。
【００２６】
請求項３に記載の発明では、購入者カード発行端末が、商品の販売を制限する自動販売機に備えられることで、ＩＤカードを用いて商品や購入者カードを購入することができる。
【００２７】
請求項４に記載の発明では、属性情報は、少なくとも生年月日情報、性別情報、住所情報、国籍情報のいずれかを含み、年齢、性別、住所、国籍に基づき禁制品の販売を規制できる。
【００２８】
請求項５に記載の発明では、ＩＤカードは、少なくとも運転免許証、健康保険証、パスポート、社員証、学生証を含み、種々のＩＤカードを用いて購入者カードを販売できる。
【００２９】
請求項６に記載の発明では、購入者カード発行端末で読み取ったＩＤカードの属性情報から購入者カード発行可否判断部により予め登録された購入者カード発行可能条件に合致していると判断した場合のみ購入者カードを発行し、例えばＩＤカード化した運転免許証により簡単かつ確実に本人確認を行い、容易に偽造や変造を行なうことができない購入者カードを発行可能である。
【００３０】
また、購入者カード発行端末から購入者カード情報登録サーバに送られた情報に基づき、購入者カード発行に関する情報が既に情報登録部に存在すると情報有無判断部が判断した場合、購入者カード情報登録サーバが購入者カード発行端末に発行禁止情報を送信し、購入者カード発行端末が購入者カードを発行しないことで、複数の購入者カードの発行を禁止し、購入者カードにより自動販売機での禁制品の販売を制限することができる。
【００３１】
請求項７に記載の発明では、自動販売機で読み取られた属性情報から、購入者が予め登録された販売可能条件に合致していると判断した場合のみ販売を許可することで禁制品の販売を制限することができる。
【００３２】
請求項８に記載の発明では、購入者カード発行に関する情報が既に情報登録部に存在すると情報有無判断部が判断した場合、購入者カード情報登録サーバが購入者カード発行端末に発行禁止情報を送信し、購入者カード発行端末は購入者カードを発行しないことで、複数の購入者カードの発行を禁止することができる。
【００３３】
請求項９に記載の発明では、購入者カード情報登録サーバの情報有無判断部で購入者カード発行端末から送信された情報に基づく購入者カードが発行済みと判断された場合、以前に発行された購入者カードの固有番号を販売不可番号として自動販売機に送信し、自動販売機が販売不可番号を保存し、読み取られた固有番号が販売不可番号と一致した場合は商品の販売を行わないことで、複数の購入者カードを用いた商品の購入を確実に禁止することができる。
【００３４】
請求項１０に記載の発明では、自動販売機での商品販売の際に、購入者カードの固有番号と販売不可番号とが一致した場合、カード挿入部に挿入された購入者カードを排出しないことで、不正の購入者カードを回収することができる。
【００３５】
請求項１１に記載の発明では、購入者カードには、生年月日情報の他に少なくとも顔画像情報が書き込まれ、簡単かつ確実に本人確認を行い、容易に偽造や変造を行なうことができない。
【００３６】
請求項１２に記載の発明では、自動販売機でＩＤカードまたは購入者カードの持ち主と購入者が同一人物とであることを本人確認部が判断し、かつ属性情報読取部で読み取ったＩＤカードまたは購入者カードの属性情報から販売可否判断部に予め登録された販売可能条件に合致していると判断した場合のみ販売を許可し、簡単かつ確実に本人確認を行い、禁制品の販売を規制できる。
【００３７】
請求項１３に記載の発明では、属性情報は、少なくとも生年月日情報、性別情報、住所情報、国籍情報のいずれかを含み、年齢、性別、住所、国籍に基づき禁制品の販売を規制できる。
【００３８】
請求項１４に記載の発明では、ＩＤカードは、少なくとも運転免許証、健康保険証、パスポート、社員証、学生証を含み、種々のＩＤカードを用いて購入者カードを販売できる。
【発明を実施するための最良の形態】
【００３９】
以下、この発明の購入者カード発行システム及び商品自動販売システムの実施の形態について説明するが、この発明は、この実施の形態に限定されない。また、この発明の実施の形態は、発明の最も好ましい形態を示すものであり、この発明の用語はこれに限定されない。
【００４０】
この実施の形態は、無線または有線でネットワーク接続可能なコンピュータ・ネットワーク・システムに、購入者カード発行システム及び商品自動販売システムを適用したものである。なお、この実施の形態では、一例として購入資格（例えば２０歳以上）を必要とするたばこを販売する自動販売機用のコンピュータ・ネットワーク・システムを例に説明する。
【００４１】
図１は購入者カード発行システム及び商品自動販売システムを適用した自動販売機用ネットワーク・システムの構成を模式的に示している。この実施の形態では、自動販売機用ネットワーク・システム１０は、通信媒体として、インターネットやその他のネットワークとしてのＬＡＮで代表されるネットワーク１２、各国又は各地域の電話会社が構築・提供する公衆電話網などで代表される通信網１４を含んで構成される。通信網１４には、例えばＰＳＴＮやＩＳＤＮが含まれる。また、通信網１４として、さらに、ＰＤＣやＰＨＳなど各種形式の無線電話網を含むことができる。ネットワーク１２と通信網１４とは、ゲートウェイ・システム１８によって相互接続されている。
【００４２】
インターネットで代表されるネットワーク１２には、購入者カード情報登録サーバ１００が、モデム、ルータ、ＴＡ等の接続装置１６を介して接続されている。これらは、ネットワーク１２を介して、相互通信により情報授受が可能な構成である。また、ネットワーク１２には、接続装置１６を介してネットワーク管理下の自動販売機２００が接続されている。
【００４３】
ネットワーク１２では、モデムやルータ等の接続装置１６を経由して相互接続が可能であり、このようなネットワーク上のコンピュータ同士は、所定の通信プロトコルに従って相互アクセスが可能である。従って、自動販売機用ネットワーク・システム１０上には、無数のサーバ・コンピュータ（ホスト端末）や自動販売機が接続された構成となる。
【００４４】
一方、通信網１４は、携帯端末等の送受信装置に対するデータの送受信機能を有する基地局１９を備えている。これによって、通信網１４に接続可能な自動販売機２００は、接続装置１６に代えて通信装置３０を備えている。自動販売機２００は、通信装置３０を介して通信網１４との相互通信により情報授受が可能な構成である。
【００４５】
この商品の販売を制限する自動販売機２００は、購入者カード発行端末３００が備えられている。この自動販売機２００では、ＩＤカード化された購入者カード５００を用いて商品を購入することができる。また、この購入者カード発行端末３００では、ＩＤカード４００を用いて購入者カード５００を発行し、このＩＤカード４００は運転免許証、健康保険証、パスポート、社員証、学生証等をＩＤカード化したものであり、発行される購入者カード５００も同様にＩＤカード化したものである。
【００４６】
この実施の形態では、自動販売機２００に購入者カード発行端末３００が備えられており、ＩＤカード４００を用いて購入者カード５００を購入し、購入者カード５００を用いて商品を購入することができる。
【００４７】
この購入者カード発行端末３００を備える自動販売機２００について説明する。図２は自動販売機の斜視図である。この実施の形態の自動販売機２００は、たばこを販売するものであるが、これに限定されず、アルコール飲料等でもよく、未成年者が喫煙したり飲食するのが禁じられている物品の自動販売機である。この自動販売機２００では、購入者カード５００を用いて商品を購入することができる。この自動販売機２００は販売機本体２０２の正面上部にショーウインドー２０３が設けられ、ショーウインドー２０３には複数の種類の商品見本２０４が陳列され、それぞれの商品見本２０４に対応して商品選択ボタン２０５が配列されている。販売機本体２０２の正面右側下部には、紙幣挿入器２０６が、さらに、その下方にはコイン投入口２０７及び取消しつまみ２０８が装備され、コイン投入口２０７の下方における比較的低い位置に返却口２０９が設けられるとともに、さらに、その下方にショーウインドー２０３に対応する商品取出口２１０が設けられている。
【００４８】
販売機本体２０２の正面右側上部には、カード情報読取部２１１が、さらに、その下方には操作表示部２１２が設けられ、購入者カード５００の情報を読み取り、購入するための操作や表示が行なわれる。販売機本体２０２の内部には、販売する商品が内蔵されると共に、図７及び図９に示すような販売するための構成になっている。
【００４９】
この購入者カード発行端末３００は、ＩＣチップを有するＩＤカード化した運転免許証から購入者カード５００を発行する。この購入者カード５００はＩＤカード化されており、この購入者カード５００を用いて例えば自動販売機で未成年者が喫煙したり飲食するのが禁じられている物品、例えばたばこ、アルコール飲料等を購入することができる。
【００５０】
この購入者カード発行端末３００は、ショーウインドー３０３が設けられ、ショーウインドー３０３には複数の種類の購入者カード見本３０４が陳列され、それぞれの購入者カード見本３０４に対応して購入者カード選択ボタン３０５が配列されている。購入者カード選択ボタン３０５では、例えば写真なしの購入者カード、あるいは写真入りの購入者カードの発行が選択される。ショーウインドー３０３の下方には、ショーウインドー３０３に対応して購入者カード取出口３１０が設けられている。販売機本体２０２の内部には、発行される購入者カードが内蔵されると共に、図７及び図８に示すような発行するための構成になっている。
【００５１】
図３は購入状態を示す図、図４はカード情報読取部及び操作表示部の正面図である。操作表示部２１２は、液晶タッチパネルで構成され、この液晶タッチパネルには、暗証番号入力ボタン２１２ａと操作状態表示部２１２ｂが設けられている。
【００５２】
購入者Ｐは、操作表示部２１２の暗証番号入力ボタン２１２ａを操作して暗証番号を入力し、この暗証番号を入力した後に、所定の時間以内にＩＤカード４００または購入者カード５００をカード情報読取部２１１に近接させてＩＤカード４００または購入者カード５００に記憶された情報を読み取るようにする。購入者Ｐは、操作状態表示部２１２ｂの表示によって商品を購入する操作を行なう。
【００５３】
図４はＩＤカードの平面図、図５はＩＤカードの構成図である。この実施の形態のＩＤカード４００は、２枚のシート基材である第１及び第２のシート材４２２，４２３としてのベースフィルムと、これら第１及び第２のシート材４２２，４２３間に介在される接着層４２４，４２５とからなる。これら第１及び第２のシート材４２２，４２３の接着層４２４，４２５を介しない側の表面には、受像層または筆記層が形成される。
【００５４】
受像層の一例としては、昇華染料インクがＴＰＨ（サーマルヘッド）で加熱されて熱拡散する時に、染料をトラップして定着させる素材で構成されるものが挙げられる。この実施の形態の運転免許証をカード化したＩＤカード４００では氏名、生年月日、本籍、住所、交付年月日、交付条件等、免許番号、種類、顔画像等が記録されている。筆記層は、例えばポリエステル樹脂等にシリカ等の白色顔料を分散させたものを塗工して形成することができる。
【００５５】
接着層４２４，４２５内にはＩＣチップ４２６、アンテナ４２７及びＩＣモジュールの基材４２８を有するＩＣモジュール２９が封入されている。ＩＣチップ４２６には、運転免許証に記録した氏名、生年月日、本籍、住所、交付年月日、交付条件等、免許番号、種類、顔画像等がデジタル情報として記録され、さらに暗証番号が記録される。
【００５６】
このように非接触のＩＤカード４００は、外部装置から電源の供給を受けるとともに通信を行うためのアンテナ４２７、所定の処理を実行するＣＰＵ、その実行プログラムを記録したプログラムＲＯＭ、動作中の種々のデータを記録するＲＡＭ、データを記録しておく不揮発性メモリ及び整流回路やコンデンサなどの周辺回路、周辺素子のＩＣチップ４２６を有し、外部装置とアンテナ４２７を介して電磁波により非接触で通信を行い、所望のデータの送受信を行う。
【００５７】
この実施の形態では、商品の購入に用いるＩＤカード４００は、運転免許証をカード化したものであるがこれに限定されず、健康保険証、パスポート、社員証、学生証、購入者カード等をカード化したものでもよい。
【００５８】
また、購入者カード５００もＩＤカード４００と同様に、図５及び図６に示すようにＩＤカード化された構成である。
【００５９】
図７は自動販売機用ネットワーク・システムの概略構成図である。この実施の形態の自動販売機用ネットワーク・システム１０は、購入者カード情報登録サーバ１００、自動販売機２００及び購入者カード発行端末３００を有する。
【００６０】
この購入者カード情報登録サーバ１００は、情報を送受信するサーバ側情報送受信部１０１と、購入者カード発行端末３００から送信された購入者カード発行に関する情報及び自動販売機２００へ送信される販売不可に関する情報を登録する情報登録部１０２と、購入者カード発行に関する情報が情報登録部１０２に既に存在するか否かを判断する情報有無判断部１０３とを有する。情報登録部１０２は、メモリで構成され、また情報有無判断部１０３は、ＣＰＵで構成される。
【００６１】
購入者カード発行端末３００は、端末側情報送受信部３０１、制御部３３０、購入者カード発行部３３１等から構成され、読み取ったＩＤカード４００の属性情報から予め登録された購入者カード発行可能条件に合致していると判断した場合のみ購入者カード５００を発行する。
【００６２】
自動販売機２００は、販売機側情報送受信部２０１、制御部２３０、商品販売部２３１等から構成され、読み取った購入者カード５００から属性情報により商品販売の可否を判断して商品を販売する。
【００６３】
購入者カード情報登録サーバ１００では、サーバ側情報送受信部１０１により端末側情報送受信部３０１及び販売機側情報送受信部２０１と送受信を行ない、購入者カード発行端末３００から送信された購入者カード発行に関する情報及び自動販売機２００へ送信される販売不可に関する情報を情報登録部１０２に登録する。
【００６４】
この実施の形態の購入者カード発行システムは、購入者カード発行端末３００と、購入者カード情報登録サーバ１００とからなり、商品の販売を制限する自動販売機２００での購入が制限されない者にのみ購入者カード５００を発行する。購入者カード発行端末３００から購入者カード情報登録サーバ１００に送られた情報に基づき、購入者カード発行に関する情報が既に情報登録部１０２に存在すると情報有無判断部１０３が判断した場合、購入者カード情報登録サーバ１００が購入者カード発行端末３００に発行禁止情報を送信し、購入者カード発行端末３００は購入者カード５００を発行しない。
【００６５】
ここで、購入者カード発行端末３００から購入者カード情報登録サーバ１００に送られた情報として、例えばＩＤカード化した運転免許証から購入者カードを発行する場合には、運転免許証の生年月日等の属性情報と、運転免許証番号等を含み、これらの情報が購入者カード発行に関する情報を意味する。購入者カードは、購入者の属性情報により商品の販売を制限する自動販売機２００で利用され、購入者カード発行端末３００は、自動販売機２００での購入を制限されない年齢に合致している者にのみ購入者カードを発行する。属性情報は、少なくとも生年月日情報の他に、性別情報、住所情報、国籍情報のいずれかを含み、年齢の他に、性別、住所、国籍に基づき禁制品の販売を規制できる。
【００６６】
このように、購入者カード発行端末３００から購入者カード情報登録サーバ１００に送られた情報に基づき、購入者カード発行に関する情報が既に情報登録部１０２に存在すると購入者カード発行端末３００が購入者カード５００を発行しないことで、同一人に複数の購入者カードの発行を禁止することができる。
【００６７】
この購入者カード発行端末３００は、購入者カード発行不可を表示する操作表示部２１２を有し、購入者カード情報登録サーバ１００から発行禁止情報を受け取った場合、購入者カード５００を発行しないことを購入者カード発行申請者に容易に知らせることができる。
【００６８】
この実施の形態の商品自動販売システムは、購入者カード発行端末３００と、自動販売機２００と、購入者カード情報登録サーバ１００とからなる。購入者カード情報登録サーバ１００は、購入者カード発行に関する情報が情報登録部１０２に既に存在するか否かを情報有無判断部１０３で判断し、自動販売機２００による商品の販売を制限する。購入者カード発行端末３００から購入者カード情報登録サーバ１００に送られた情報に基づき、購入者カード発行に関する情報が既に情報登録部１０２に存在すると情報有無判断部１０３が判断した場合、購入者カード情報登録サーバ１００が購入者カード発行端末３００に発行禁止情報を送信する。この発行禁止情報を受信すると、購入者カード発行端末３００は購入者カードを発行しないことで、複数の購入者カードの発行を禁止することができる。
【００６９】
また、購入者カード５００には、予め固有の番号が書き換え不可能な状態で保存されるとともに、自動販売機２００は購入者カードの固有番号を読み取る情報読取部２１１ｂを有する。購入者カード情報登録サーバ１００の情報有無判断部１０３で購入者カード発行端末３００から送信された情報に基づく購入者カード５００が発行済みと判断された場合、以前に発行された購入者カード５００の固有番号を販売不可番号として自動販売機２００に送信する。
【００７０】
自動販売機２００は、販売可否判断部２３０ｅに販売不可番号を保存し、情報読取部２１１ｂで読み取られた固有番号が保存された販売不可番号と一致した場合は商品の販売を行わない。このように、購入者カード情報登録サーバ１００の情報有無判断部１０３で購入者カード発行端末３００から送信された情報に基づく購入者カード５００が発行済みと判断された場合、以前に発行された購入者カード５００の固有番号を販売不可番号として自動販売機２００に送信して保存し、自動販売機２００で読み取られた購入者カード５００の固有番号が販売不可番号と一致した場合は商品の販売を行わないことで、複数の購入者カード５００を用いた商品の購入を確実に禁止することができる。
【００７１】
次に、図７に示す購入者カード発行端末３００を、図８に基づいて説明する。図８は購入者カード発行端末の構成図である。この実施の形態の購入者カード発行端末３００は、販売機本体２０２の外部にカード情報読取部２１１、操作表示部２１２が設けられ、販売機本体２０２の内部に制御部３３０、購入者カード発行部３３１、金銭精算部２３２が配置され、これらは電子回路や機械的手段等から構成される。
【００７２】
カード情報読取部２１１は、通信アンテナ部２１１ａと情報読取部２１１ｂを有し、ＩＤカード４００から情報を読み取る。通信アンテナ部２１１ａは外部に近接したＩＤカード４００のアンテナ４２７と通信を行う。通信アンテナ部２１１ａには、購入者カード発行端末３００が通信対象とする複数種類の非接触のＩＤカード４００のいずれに対しても通信が行えるように、それらの非接触のＩＤカード４００の通信信号の特性に応じた複数種類のアンテナが具備されている。情報読取部２１１ｂは通信アンテナ部２１１ａを介して非接触のＩＤカード４００のアンテナ４２７と通信を行い、ＩＤカード４００のＩＣチップ４２６より情報を読み出し、さらにその情報を制御部３３０に出力する。具体的には、情報読取部２１１ｂは、ＣＰＵ及びメモリにより構成される。そして、このメモリに、ＣＰＵにおける処理プログラムと、購入者カード発行端末３００が通信対象としているＩＤカード４００ごとに、その通信信号の特性、情報の読み出し手順などの通信プロトコル、読み出した情報のフォーマットなどが予め登録されている。
【００７３】
操作表示部２１２に備えられる暗証番号入力ボタン２１２ａは、例えばテンキーで構成され、購入者がＩＤカード４００に予め登録されている暗証番号を入力する操作を行なう。暗証番号入力ボタン２１２ａにより暗証番号を入力すると、制御部３３０に出力される。操作表示部２１２に備えられる操作状態表示部２１２ｂは、制御部３３０からの制御により操作指示表示、属性情報の読み出し不能表示、暗証番号誤り表示、発行不可表示等が行なわれる。
【００７４】
制御部３３０は、暗証番号入力部３３０ａ、暗証番号登録有無判断部３３０ｂ、端末側属性情報読取部３３０ｃ、属性情報読取許可部３３０ｄ、購入者カード発行可否判断部３３０ｅ、購入者カード判断部３３０ｆ、購入者カード情報書込部３３０ｇ、ポイント発生部３３０ｈ及びポイント書込部３３０ｉを有し、具体的には、ＣＰＵ及びメモリ等により構成される。
【００７５】
暗証番号入力部３３０ａは、暗証番号入力ボタン２１２ａから入力される暗証番号を所定時間保持し、属性情報読取許可部３３０ｄに出力する。
【００７６】
暗証番号登録有無判断部３３０ｂは、カード情報読取部２１１により読み取られた情報からＩＤカード４００に予め暗証番号が登録されているか否かの判断を行ない、判断情報を属性情報読取許可部３３０ｄに出力する。端末側属性情報読取部３３０ｃは、カード情報読取部２１１により読み取られた情報からＩＤカード４００に記録されている属性情報を読み取る。属性情報読取許可部３３０ｄは、暗証番号入力部３３０ａで入力された暗証番号が、ＩＤカード４００に予め登録された暗証番号と一致した場合のみ、端末側属性情報読取部３３０ｃによる属性情報の読み取りを可能にする。
【００７７】
購入者カード発行可否判断部３３０ｅは、端末側属性情報読取部３３０ｃで読み取ったＩＤカード４００の属性情報から予め登録された購入者カード発行可能条件に合致していると判断した場合のみ購入者カード発行を許可する。例えば、購入者カード発行可否判断部３３０ｅに予め２０才以上に購入者カード発行可能の条件が登録されていると、ＩＤカード４００の生年月日から演算して得られる年齢と比較し、２０才以上の購入者カード発行可能条件に合致していると判断した場合のみ購入者カード発行を許可する。購入者カード発行を許可しない場合は、購入者カード発行不可を操作状態表示部２１２ｂに出力して購入者カード発行不可表示を行なう。購入者カード発行可の場合は、購入者カード判断部３３０ｆで購入者カード選択ボタン３０５により選択された購入者カードを判断し、金銭精算部２３２で選択された購入者カードに応じた料金が投入されると、購入者カード発行許可の指令を購入者カード発行部３３１に出力する。
【００７８】
購入者カード判断部３３０ｆは、購入者カード選択ボタン３０５により選択された購入者カードを判断し、この選択された購入者カード情報を購入者カード発行可否判断部３３０ｅに出力する。
【００７９】
購入者カード情報書込部３３０ｇは、購入者カード発行可否判断部３３０ｅの出力により発行する購入者カード５００に情報を記憶する。購入者カード５００にＩＤカード４００の情報を記憶することで、購入者カード４００をＩＤカード４００と同様に用いることができる。
【００８０】
この購入者カード情報書込部３３０ｇが記憶する情報は、ＩＤカード４００に記憶された情報と同じアドレスかつ同じ書式で書き込まれる。この実施の形態では、ＩＤカード４００のカード形式が、例えば所有者氏名、住所、ＩＤ番号、生年月日、暗証番号、有効期限、顔画像情報を有するものであると、購入者カードのカード形式は、発行所ＩＤ、所有者氏名、カード番号、生年月日、暗証番号、ＩＤカード４００の元カードＩＤ、有効期限、顔画像情報、ポイント情報、その他の情報を有する。この実施の形態では、顔画像情報、ポイント情報、その他の情報を書き込むが、ＩＤカード４００に顔画像情報が無い場合は、書き込まれないし、購入者カード５００をポイントカードとして用いない場合はポイント情報を書き込まないようにしてもよい。
【００８１】
ポイント発生部３３０ｈは、購入者カード発行可否判断部３３０ｅの出力により支払われた金額に相応したポイントを発生させる。ポイント書込部３３０ｉは、ポイント発生部３３０ｈからのポイントの情報を、購入者カード５００に書き込み、このポイントの情報を書き換え可能状態で保存可能にする。
【００８２】
購入者カード発行部３３１は、購入者カード発行可否判断部３３０ｅからの購入者カード発行許可の情報に基づき、情報が書き込まれ、またポイントが書き込まれた購入者カード５００の発行を行なう。
【００８３】
金銭精算部２３２は、周知のコインメック等を含み金銭保留機構とも電気的に接続されており、選択された購入者カード情報に基づき、購入者が投入した金額のうち当該商品の対価分だけ金庫への回収を行い、つり銭を返却口２０９に返却する。
【００８４】
この購入者カード発行端末３００は、購入者カード発行に関する情報が既に情報登録部１０２に存在すると、購入者カード発行端末３００は端末側情報送受信部３０１で購入者カード情報登録サーバ１００のサーバ側情報送受信部１０１から発行禁止情報を受信し、購入者カード発行可否判断部３３０ｅに送り購入者カードを発行しない。このようにして同一人に複数の購入者カードの発行を禁止することができる。
【００８５】
次に、図７に示す自動販売機２００を、図９に基づいて説明する。図９は自動販売機の構成図である。この実施の形態の自動販売機２００は、販売機本体２０２の外部にカード情報読取部２１１、操作表示部２１２が設けられ、販売機本体２０２の内部に制御部２３０、商品販売部２３１、金銭精算部２３２が配置され、これらは電子回路や機械的手段等から構成される。カード情報読取部２１１、操作表示部１２及び金銭精算部２３２は、自動販売機２００と購入者カード発行端末３００とで兼用して使用される。
【００８６】
制御部２３０は、暗証番号入力部２３０ａ、暗証番号登録有無判断部２３０ｂ、販売機側属性情報読取部２３０ｃ、属性情報読取許可部２３０ｄ、販売可否判断部２３０ｅ及び商品判断部２３０ｆを有し、具体的には、ＣＰＵ及びメモリ等により構成される。
【００８７】
暗証番号入力部２３０ａは、暗証番号入力ボタン２１２ａから入力される暗証番号を所定時間保持し、属性情報読取許可部２３０ｄに出力する。
【００８８】
暗証番号登録有無判断部２３０ｂは、カード情報読取部２１１により読み取られた情報から購入者カード５００に予め暗証番号が記憶されているか否かの判断を行ない、判断情報を属性情報読取許可部２３０ｄに出力する。販売機側属性情報読取部２３０ｃは、カード情報読取部２１１により読み取られた情報から購入者カード５００に記録されている属性情報を読み取る。属性情報読取許可部２３０ｄは、暗証番号入力部２３０ａで入力された暗証番号が、購入者カード５００に予め登録された暗証番号と一致した場合のみ、販売機側属性情報読取部２３０ｃによる属性情報の読み取りを可能にする。
【００８９】
販売可否判断部２３０ｅは、販売機側属性情報読取部２３０ｃで読み取った購入者カード５００の属性情報から予め登録された販売可能条件に合致していると判断した場合のみ販売を許可する。例えば、販売可否判断部２３０ｅに予め２０才以上に販売可能の販売条件が登録されていると、購入者カード５００の生年月日から演算して得られる年齢と比較し、２０才以上の販売可能条件に合致していると判断した場合のみ販売を許可する。販売を許可しない場合は、販売不可を操作状態表示部２１２ｂに出力して販売不可表示を行なう。販売可の場合は、商品判断部２３０ｆで商品選択ボタン２０５により選択された商品を判断し、金銭精算部２３２で選択された商品に応じた料金が投入されると、販売許可の指令を商品販売部２３１に出力する。
【００９０】
商品判断部２３０ｆは、商品選択ボタン２０５により選択された商品を判断し、この選択された商品情報を販売可否判断部２３０ｅに出力する。
【００９１】
商品販売部２３１は、販売可否判断部２３０ｅからの販売許可の情報と、選択された商品情報に基づき、選択された商品の販売を行なう。
【００９２】
この実施の形態の自動販売機２００は、暗証番号入力部２３０ａで入力された暗証番号が所定の時間保持されるとともに、その所定の時間内に購入者カード５００をカード情報読取部２１１に近接させて販売機側属性情報読取部２３０ｃにより、購入者カード５００の属性情報が読み取り可能となる。この暗証番号入力部２３０ａで入力された暗証番号が保持される所定の時間は１５秒以下であり、この所定の時間内に暗証番号入力部２３０ａで入力された暗証番号が、購入者カード５００に予め登録された暗証番号と一致した場合のみ、販売機側属性情報読取部２３０ｃによる属性情報の読み取りを可能にし、簡単かつ確実に本人確認を行い、非接触式の購入者カード５００を用いて属性情報を読み取り、禁制品の販売を規制できる。この所定の時間終了後または商品販売後は、暗証番号入力部２３０ａで入力された暗証番号は無効または消去され、次の商品の販売に備える。
【００９３】
この自動販売機２００は、購入者カード５００の固有番号を読み取る情報読取部２１１ｂを有する。購入者カード情報登録サーバ１００は、情報有無判断部１０３で購入者カード発行端末３００から送信された情報に基づく購入者カード５００が発行済みと判断された場合、以前に発行された購入者カード５００の固有番号を販売不可番号として自動販売機２００に送信する。自動販売機２００は、販売機側情報送受信部２０１で受信して販売可否判断部２３０ｅに販売不可番号を保存し、情報読取部２１１ｂで読み取られた固有番号が販売不可番号と一致した場合は商品の販売を行わない。このように、購入者カード情報登録サーバが購入者カード発行端末に発行禁止情報を送信し、購入者カード発行端末は購入者カードを発行しないことで、複数の購入者カードの発行を禁止することができる。      
【００９４】
図１０は購入者カード発行システムの作動を示すフローチャートである。この実施の形態の購入者カード発行システムでは、運転免許証をカード化したＩＤカード４００を用いて購入者カード５００を発行する場合を示し、ステップａ１で購入者カード発行端末３００の操作状態表示部２１２ｂに「暗証番号有無選択」の表示を行ない、暗証番号有のタッチキーを押すと（ステップａ２）、「暗証番号入力」表示を行ない（ステップａ３）、暗証番号入力ボタン２１２ａを操作し、これにより暗証番号入力部３３０ａで暗証番号の入力を行なう（ステップａ４）。
【００９５】
この暗証番号の入力から暗証番号入力部３３０ａに備えるタイマーがスタートし、所定の時間、この実施の形態ではタイマーで設定された１５秒経過確認を行ない保持する（ステップａ５）。この１５秒が未経過の間にカード情報読取部２１１によりＩＤカード４００のカード検出が行なわれると、カード暗証番号の読み出しが行なわれる（ステップａ６）。
【００９６】
暗証番号入力部３３０ａに入力された暗証番号とカード情報読取部２１１から読み出された暗証番号とを属性情報読取許可部３３０ｄで照合し（ステップａ７）、暗証番号照合が不一致であると操作状態表示部２１２ｂに「暗証番号誤り」表示を行ない終了する（ステップａ８）。暗証番号照合が一致していると、端末側属性情報読取部３３０ｃで生年月日の属性情報の読み出しを行ない（ステップａ９）、この生年月日から年齢を算出する（ステップａ１０）。
【００９７】
ステップａ２において、ＩＤカード４００に暗証番号の記憶がない場合には、操作状態表示部２１２ｂの暗証番号無のタッチキーを押すと、端末側属性情報読取部３３０ｃで生年月日の属性情報の読み出しを行なう（ステップａ１１）。ステップａ１２において、読み出し可能の場合には、ステップａ１０へ移行し、読み出し不可能の場合には、操作状態表示部２１２ｂに「生年月日情報読み出し不可」の表示を行ない、終了する（ステップａ１３）。
【００９８】
この生年月日から年齢を算出し（ステップａ１０）、購入者カード発行可否判断部３３０ｅで購入者カード発行可否年齢条件を照合し（ステップａ１４）、不適合の場合には操作状態表示部２１２ｂに「カード発行不可」表示を行ない終了し（ステップａ１５）、適合の場合には購入者カード発行可否判断部３３０ｅでＩＤカード４００の運転免許番号を読み出し（ステップａ１６）、運転免許番号、生年月日情報を購入者カード情報登録サーバ１００へ送信する（ステップａ１７）。
【００９９】
購入者カード情報登録サーバ１００では、運転免許証番号、生年月日情報を受信し（ステップａ１８）、購入者カード５００が既に発行されているか否かの判断を行ない（ステップａ１９）、発行されていない場合はカード発行許諾情報を送信し（ステップａ２０）、発行されている場合はカード発行不可情報を送信する（ステップａ２１）。
【０１００】
購入者カード発行端末３００では、ステップａ２２において、カード発行許諾情報を受信すると、購入者カード５００を発行して終了する（ステップａ２３）。また、カード発行不可情報を受信すると（ステップａ２４）、「カード発行不可」を表示して終了する（ステップａ２５）。
【０１０１】
図１１は商品自動販売システムの作動を示すフローチャートである。この実施の形態の商品自動販売システムは、運転免許証をカード化したＩＤカード４００を用いて購入者カード５００を発行し、購入者カード５００を用いて自動販売機２００で商品を購入するものであり、ステップｂ１乃至ステップｂ１６は、図１０のステップａ１乃至ステップａ１６と同様にして販売年齢条件を照合するから説明を省略する。販売年齢条件を照合し、適合している場合には、購入者カード番号を発生させ（ステップｂ１７）、購入者カード番号、運転免許証番号、生年月日情報を購入者カード情報登録サーバ１００へ送信する（ステップａ１８）。購入者カード発行端末３００では、購入者カードに購入者カード番号、運転免許証番号、生年月日情報等の情報を書き込み（ステップｂ１９）、購入者カード５００を発行する（ステップｂ２０）。
【０１０２】
購入者カード情報登録サーバ１００では、購入者カード番号、運転免許証番号、生年月日情報を受信し（ステップｂ２１）、購入者カード５００が既に発行されているか否かの確認を行ない（ステップｂ２２）、購入者カード５００が発行されていないと、運転免許証番号、生年月日情報、購入者カード番号等を登録して終了する（ステップｂ２３）。
【０１０３】
ステップｂ２３において、購入者カード５００が既に発行されていると、新しい購入者カード番号を登録し（ステップｂ２４）、旧購入者カード番号を販売不可番号として登録し（ステップｂ２５）、この販売不可番号を自動販売機２００へ送信する（ステップｂ２６）。
【０１０４】
自動販売機２００では、販売不可番号を受信し（ステップｂ２７）、販売不可番号として登録して終了する（ステップｂ２８）。
【０１０５】
このように、自動販売機２００が販売不可番号を保存し、購入者カード５００を用いて商品を購入する場合に、購入者カード５００から読み取られた固有番号が販売不可番号と一致した場合は商品の販売を行わないことで、複数の購入者カードを用いた商品の購入を確実に禁止することができる。
【０１０６】
次に、図１２乃至図１４に示す実施の形態について説明する。この実施の形態の自動販売機２００は、図１乃至図１１に示す自動販売機２００に購入者の生体情報を採取し、ＩＤカード４００で読み取った記録生体情報と採取生体情報を比較しＩＤカード４００の持ち主と購入者が同一人物であることを確認するようにしたものであり、同じ構成は同じ符号を付して説明を省略する。
【０１０７】
図１２は自動販売機の斜視図、図１３は購入者カード発行端末の構成図、図１４は自動販売機の構成図である。この実施の形態の自動販売機２００は、カード情報読取部２１１の上方に購入者の生体情報を採取する生体情報採取部２４０が備えられている。この生体情報採取部２４０は、顔撮影手段２４０ａまたは指紋入力手段２４０ｂからなる。
【０１０８】
顔撮影手段２４０ａは、ＣＣＤカメラで構成され、購入者Ｐの顔を撮影し、顔画像の生体情報を得る。指紋入力手段２４０ｂは、指紋入力センサで構成され、指紋入力センサの出力は指紋の凹凸に応じた光の反射率で決まるため、それらの出力はそれぞれの指の指紋に応じて異なることになることで、指紋の生体情報を得る。この実施の形態では、顔撮影手段２４０ａあるいは指紋入力手段２４０ｂで購入者Ｐの生体情報を得ているが、これに限定されず、音声、サイン等からも生体情報を得るようにしてもよい。
【０１０９】
図１３に示す購入者カード発行端末３００では、カード情報読取部２１１に、購入者カード５００から記録生体情報を読み取る記録生体情報読取部２１１ｃが設けられ、制御部３３０に本人確認部３３０ｈが設けられている。
【０１１０】
記録生体情報読取部２１１ｃは、ＣＰＵ及びメモリにより構成され、通信アンテナ部２１１ａを介して非接触のＩＤカード４００のアンテナ４２７と通信を行い、ＩＤカード４００のＩＣチップ４２６に記録されている記録生体情報を読み取る。
【０１１１】
生体情報採取部２４０を構成する顔撮影手段２４０ａまたは指紋入力手段２４０ｂにより採取された生体情報は、本人確認部３３０ｈに送られる。本人確認部３３０ｈでは、記録生体情報読取部２１１ｃで読み取った記録生体情報と生体情報採取部２４０で採取した採取生体情報を比較し、両生体情報が一致すると、ＩＤカード４００の持ち主と購入者が同一人物であることを確認する。
【０１１２】
属性情報読取許可部３３０ｅでは、本人確認部３３０ｈで確認され、かつ暗証番号入力部３３０ａで入力された暗証番号がＩＤカード４００に予め登録された暗証番号と一致した場合のみ、端末側属性情報読取部３３０ｃによる属性情報の読み取りを可能にする。
【０１１３】
図１４に示す自動販売機２００にも同様に記録生体情報を読み取る記録生体情報読取部２１１ｃが設けられ、制御部２３０に本人確認部２３０ｈが設けられ、図１３の購入者カード発行端末３００と同様に構成されるから説明を省略する。  この実施の形態では、記録生体情報読取部２１１ｃで読み取った記録生体情報と生体情報採取部２４０で採取した採取生体情報を比較し、両生体情報が一致することで、確実に本人確認を行い、紛失したり、盗難されたＩＤカードが使用されないようにすることができる。
【０１１４】
図１５は自動販売機の他の実施の形態の斜視図である。この実施の形態の自動販売機２００は、図２に示す自動販売機と同様に同様に構成されるが、自動販売機２００は、商品販売時に購入者カード５００を挿入するカード挿入部７００を有する。この自動販売機２００で商品販売の際には、購入者カード５００をカード挿入部７００に挿入すると、購入者カード５００の固有番号を読み取り、この読み取った固有番号と販売不可番号とが一致した場合、カード挿入部７００に挿入された購入者カード５００を排出しないようにしている。このように、カード挿入部７００に挿入された購入者カード５００を排出しないことで、不正の購入者カード５００を回収することができる。
【産業上の利用可能性】
【０１１５】
例えばＩＤカード化した運転免許証から購入者カードを発行し、購入者カードを利用して商品を購入し、利用者の年齢等を識別し、年齢等の条件による禁制品の販売を規制できるものに適用できる。
【図面の簡単な説明】
【０１１６】
【図１】購入者カード発行システム及び商品自動販売システムを適用した自動販売機用ネットワーク・システムの構成を模式的に示している。
【図２】購入者カード発行端末を備える自動販売機の斜視図である。
【図３】購入状態を示す図である。
【図４】カード情報読取部及び操作表示部の正面図である。
【図５】ＩＤカードの平面図である。
【図６】ＩＤカードの構成図である。
【図７】自動販売機用ネットワーク・システムの概略構成図である。
【図８】購入者カード発行端末の構成図である。
【図９】自動販売機の構成図である。
【図１０】購入者カード発行システムの作動を示すフローチャートである。
【図１１】商品自動販売システムの作動を示すフローチャートである。
【図１２】購入者カード発行端末を備える自動販売機の斜視図である。
【図１３】購入者カード発行端末の構成図である。
【図１４】自動販売機の構成図である。
【図１５】購入者カード発行端末を備える自動販売機の斜視図である。
【符号の説明】
【０１１７】
１０  自動販売機用ネットワーク・システム
１２  ネットワーク
１４  通信網
１００  購入者カード情報登録サーバ
１０１  サーバ側情報送受信部
１０２  情報登録部
１０３  情報有無判断部
２００  自動販売機
２０１  販売機側情報送受信部
２１１  カード情報読取部
２１１ａ  通信アンテナ部
２１１ｂ  情報読取部
２１１ｃ  記録生体情報読取部
２１２  操作表示部
２１２ａ  暗証番号入力ボタン
２１２ｂ  操作状態表示部
２３０  制御部
２３１  商品販売部
２３２  金銭精算部
３００  購入者カード発行端末
３０１  端末側情報送受信部
３３０  制御部
３３１  購入者カード発行部
４００  ＩＤカード
４２６  ＩＣチップ
４２７  アンテナ
５００  購入者カード
【図１】
2005216192.tif 000003
【図２】
2005216192.tif 000004
【図３】
2005216192.tif 000005
【図４】
2005216192.tif 000006
【図５】
2005216192.tif 000007
【図６】
2005216192.tif 000008
【図７】
2005216192.tif 000009
【図８】
2005216192.tif 000010
【図９】
2005216192.tif 000011
【図１０】
2005216192.tif 000012
【図１１】
2005216192.tif 000013
【図１２】
2005216192.tif 000014
【図１３】
2005216192.tif 000015
【図１４】
2005216192.tif 000016
【図１５】
2005216192.tif 000017